(57)【要約】【課題】脱穀装置から排出されるワラ屑がエンジンの排気管に引っ掛からないコンバインを提供する。【解決手段】エンジン５が穀粒タンク９の前側に設けられている。穀粒タンク９と脱穀装置８とが機体横幅方向に横並び状態で設けられている。エンジン５の排気を排出する排気管１５が後ろ上がり状態で、脱穀装置８と穀粒タンク９との間の空間を通されている。排気管１５の排気口２５は、空間のうち穀粒タンク９の後端部に対応する位置で開口している。【選択図】図１
2019193623.tif 000002
【特許請求の範囲】
【請求項１】
機体前部に設けられ、圃場の作物を刈り取る刈取部と、
前記刈取部によって刈り取られた作物を脱穀処理する脱穀装置と、
前記脱穀装置と機体横幅方向に横並び状態で設けられ、前記脱穀装置によって得られた穀粒を貯留する穀粒タンクと、
前記穀粒タンクよりも前側に設けられたエンジンと、
前記エンジンの排気を排出する排気管と、が備えられ、
前記排気管は、後ろ上がりの状態で、前記脱穀装置と前記穀粒タンクとの間の空間を通されており、
前記排気管の排気口は、前記空間のうち前記穀粒タンクの後端部に対応する位置で開口しているコンバイン。
【請求項２】
前記排気口が、水平方向よりも上向きに向くように開口しており、
前記排気口の上方を覆う上側排気管カバーが備えられている請求項１に記載のコンバイン。
【請求項３】
前記排気管の後端部が後上方向きに傾斜する状態で設けられ、
前記上側排気管カバーは前記排気管の後端部の傾斜方向に沿う傾斜状態で配置されている請求項２に記載のコンバイン。
【請求項４】
前記空間の上部において、前記排気管の上方に位置する状態、かつ、前後方向に延びる状態で作業台が設けられ、
前記上側排気管カバーは、前記作業台と連結されている請求項２又は３に記載のコンバイン。
【請求項５】
前記上側排気管カバーは、後端部が前記作業台よりも上側に突出するとともに、前記作業台に対して上方に膨出する形状にて構成され、
前記上側排気管カバーの後端部が前記排気口の後端部よりも後方に延ばされ、
前記排気口の吹き出し方向下手側の空間が、前記吹き出し方向に沿って開放された状態となっている請求項４に記載のコンバイン。
【請求項６】
前記脱穀装置における前記穀粒タンク側の側壁に上下方向に延びる縦向きフレームが備えられ、
前記排気管は、前記縦向きフレームから前記穀粒タンク側に突出する状態で前記縦向きフレームに支持されたブラケットに載置支持されている請求項１から５のいずれか1項に記載のコンバイン。
【請求項７】
前記穀粒タンクと前記排気管との間に、前記排気管を前記穀粒タンク側から覆う上下向きかつ板状の側部排気管カバーが備えられ、
前記排気管を支持する前記ブラケットとは異なる別のブラケットが前記側壁に支持され、
前記側部排気管カバーが前記別のブラケットにて支持されている請求項６に記載のコンバイン。
【請求項８】
前記排気管は、前記エンジンの排気を導入する導入口を有する第一排気管部と、前記第一排気管部の後部に接続され且つ後端に前記排気口を有する第二排気管部とを備え、
前記第一排気管部は、前部側に位置して後上がりの傾斜姿勢で延びる第一傾斜部と、後部側に位置して水平姿勢で延びる第一水平部と、前記第一傾斜部と前記第一水平部とを一連に連なる状態で繋ぐ第一屈曲部とを備え、
前記第二排気管部は、前部側に位置して水平姿勢で延びる第二水平部と、後部側に位置して後上がりの傾斜姿勢で延びる第二傾斜部と、前記第二水平部と前記第二傾斜部とを一連に連なる状態で繋ぐ第二屈曲部とを備え、
前記第一排気管部及び前記第二排気管部は、二重管部分を有する請求項１から７のいずれか1項に記載のコンバイン。
【請求項９】
前記第一排気管部は、前記第一傾斜部が一重管であり、かつ、前記第一屈曲部及び前記第一水平部が二重管であり、
前記第二排気管部は、前記第二水平部、前記第二屈曲部及び前記第二傾斜部の全てが二重管である請求項８に記載のコンバイン。
【請求項１０】
前記排気管は、前記エンジンの排気を導入する導入口を有する第一排気管部、前記第一排気管部の後部に接続される第二排気管部、前記第二排気管部の後部に接続され、前記排気口を有する第三排気管部を備え、
前記第一排気管部と前記第二排気管部との間、及び、前記第二排気管部と前記第三排気管部との間のそれぞれに、前記排気管の外部から内部に空気を流入させる隙間が形成されている請求項１に記載のコンバイン。
【請求項１１】
前記第一排気管部の前部及び後部は、前記脱穀装置に支持されており、
前記第二排気管部の前部及び後部は、前記脱穀装置に支持されており、
前記第三排気管部は、前記第二排気管部に支持されている請求項１０に記載のコンバイン。
【請求項１２】
前記空間に立設されるとともに前記脱穀装置の下部と前記穀粒タンクの上部とに連結され、前記脱穀装置によって得られた穀粒を前記穀粒タンクに供給する揚穀装置と、
前記脱穀装置における前記穀粒タンク側の側壁の上部から前記揚穀装置の前方を通されて前記穀粒タンク側に延出され、前記揚穀装置の前部を支持する前支持部材と、
前記側壁の上部から前記揚穀装置の後方を通されて前記穀粒タンク側に延出され、前記揚穀装置の後部を支持する後支持部材と、
前記側壁と前記揚穀装置との間において、前記前支持部材と前記後支持部材とに亘って設けられた隙間埋め部材と、が備えられ、
前記第一排気管部の後部は、前記前支持部材に支持され、かつ、前記第二排気管部の前部は、前記後支持部材に支持されている請求項１０又は１１に記載のコンバイン。
【請求項１３】
前記第一排気管部は、後上がりの傾斜姿勢で配管されており、
前記第二排気管部は、水平姿勢で配管されており、
前記第一排気管部及び前記第三排気管部は、一重管であり、
前記第二排気管部は、二重管である請求項１０から１２のいずれか一項に記載のコンバイン。
【請求項１４】
前記空間の上部において、前記排気管の上方に位置する状態、かつ、前後方向に延びる状態で設けられた作業台が備えられ、
前記作業台は、前記排気口よりも後側まで延ばされており、
前記作業台の前記排気管の前記排気口に対応する部位に切欠き部が形成されている請求項１０から１３のいずれか一項に記載のコンバイン。
【請求項１５】
前記脱穀装置における前記穀粒タンク側の側壁から上方向きに延出され、前記排気管及び前記作業台を支持する支持フレームが備えられている請求項１４に記載のコンバイン。
【請求項１６】
前記脱穀装置の脱穀機体は、機体本体と、前記機体本体の上部に支持される天板部と、を備え、
前記排気管は、前記空間のうち、前記機体本体と前記穀粒タンクとの間の空間部分を通されており、
前記排気口は、前記空間部分で開口している請求項１から１５のいずれか一項に記載のコンバイン。
【請求項１７】
前記穀粒タンクの後部に接続されると共に機体上下方向に沿う方向に延ばされ、前記穀粒タンクから穀粒を排出する穀粒排出装置と、
前記穀粒排出装置と隣り合う位置に立設され、前記穀粒排出装置を支持する支柱と、
前記脱穀装置における前記穀粒タンク側の側壁と前記支柱とを繋ぐ横向きフレームと、が備えられ、
前記排気口は、前記横向きフレームよりも前側に位置している請求項１から１６のいずれか一項に記載のコンバイン。
【請求項１８】
前記穀粒タンクと前記排気管との間に、前記穀粒タンクの前端部に対応する位置と前記穀粒タンクの後端部に対応する位置とに亘って設けられ、前記排気管を前記穀粒タンク側から覆う排気管カバーが備えられ、
前記排気管カバーは、前記排気口よりも後側まで延ばされている請求項１から１７のいずれか一項に記載のコンバイン。
【請求項１９】
前記空間の上部において、前記排気管の上方に位置する状態、かつ、前後方向に延びる状態で設けられた作業台と、
前記空間に立設されるとともに前記脱穀装置の下部と前記穀粒タンクの上部とに連結され、前記脱穀装置によって得られた穀粒を前記穀粒タンクに供給する揚穀装置と、
前記脱穀装置における前記穀粒タンク側の側壁の上部から前記揚穀装置の前方を通されて前記穀粒タンク側に延出され、前記揚穀装置の前部を支持する前支持部材と、
前記側壁の上部から前記揚穀装置の後方を通されて前記穀粒タンク側に延出され、前記揚穀装置の後部を支持する後支持部材と、が備えられ、
前記側壁と前記揚穀装置との間において、前記前支持部材と前記後支持部材とに亘って設けられた隙間埋め部材と、が備えられ、
前記作業台は、前記前支持部材から前方に延びる前作業台部と、前記後支持部材から後方に延びる後作業台部と、を備えている請求項１から１８のいずれか一項に記載のコンバイン。
【請求項２０】
前記前作業台部の後部が前記前支持部材に支持され、前記後作業台部の前部が前記後支持部材に支持されている請求項１９に記載のコンバイン。
【発明の詳細な説明】
【技術分野】
【０００１】
本発明は、コンバイン、詳しくは、機体前部に設けられ、圃場の作物を刈り取る刈取部と、前記刈取部によって刈り取られた作物を脱穀処理する脱穀装置と、前記脱穀装置と機体横幅方向に横並び状態で設けられ、前記脱穀装置によって得られた穀粒を貯留する穀粒タンクと、が備えられたコンバインに関する。
【背景技術】
【０００２】
上記したコンバインにおいて、例えば、特許文献１に示されるように、穀粒タンクよりも前側にエンジンが設けられ、エンジンの排気を排出する排気管が後ろ上がりの状態で、脱穀装置と穀粒タンクとの間の空間を通されているものがある。
【先行技術文献】
【特許文献】
【０００３】
【特許文献１】特開２０１５−１２８４１４号公報
【発明の概要】
【発明が解決しようとする課題】
【０００４】
上記したコンバインにおいて、排気管が脱穀装置から後方に突出する場合、脱穀装置から後方に排出されて舞い上がるワラ屑が排気管に引っ掛かりやすい。
【０００５】
本発明は、ワラ屑が排気管に引っ掛からないコンバインを提供する。
【課題を解決するための手段】
【０００６】
本発明によるコンバインは、機体前部に設けられ、圃場の作物を刈り取る刈取部と、前記刈取部によって刈り取られた作物を脱穀処理する脱穀装置と、前記脱穀装置と機体横幅方向に横並び状態で設けられ、前記脱穀装置によって得られた穀粒を貯留する穀粒タンクと、前記穀粒タンクよりも前側に設けられたエンジンと、前記エンジンの排気を排出する排気管と、が備えられ、前記排気管は、後ろ上がりの状態で、前記脱穀装置と前記穀粒タンクとの間の空間を通されており、前記排気管の排気口は、前記空間のうち前記穀粒タンクの後端部に対応する位置で開口している。
【０００７】
本構成によると、排気管が脱穀装置から後方に突出しないので、脱穀装置から後方に排出されるワラ屑が排気管に引っ掛からない。また、排気口から出たエンジンの排気が穀粒タンクや脱穀装置の後端部付近を通って放熱してからコンバインの外部に出る。
【０００８】
本発明においては、前記排気口が、水平方向よりも上向きに向くように開口しており、前記排気口の上方を覆う上側排気管カバーが備えられていると好適である。
【０００９】
本構成によれば、排気口から排気が上向きに排出されるので、脱穀装置と穀粒タンクとの間の空間内で滞留することなく、上方側から機体外方に放出させ易い。又、上側排気管カバーを設けることで、上向きに開放している排気口から雨水等が侵入することを防止できる。
【００１０】
本発明においては、前記排気管の後端部が後上方向きに傾斜する状態で設けられ、前記上側排気管カバーは前記排気管の後端部の傾斜方向に沿う傾斜状態で配置されていると好適である。
【００１１】
本構成によれば、傾斜する排気管によって排気が上方に向かうように案内され、排気口からそのまま後上方に流動排出される。上側排気管カバーは、傾斜状態で配置されるので、排気の流れを阻害することの無い状態で上方を覆うことができる。
【００１２】
本発明においては、前記空間の上部において、前記排気管の上方に位置する状態、かつ、前後方向に延びる状態で作業台が設けられ、前記上側排気管カバーは、前記作業台と連結されていると好適である。
【００１３】
本構成によれば、作業台の面積が広くなって作業を行いやすいものでありながら、作業台を利用することにより、特別な支持部材を設けることなく上側排気管カバーを支持することができる。
【００１４】
本発明においては、前記上側排気管カバーは、後端部が前記作業台よりも上側に突出するとともに、前記作業台に対して上方に膨出する形状に構成され、前記上側排気管カバーの後端部が前記排気口の後端部よりも後方に延ばされ、前記排気口の吹き出し方向下手側の空間が、前記吹き出し方向に沿って開放された状態となっていると好適である。
【００１５】
本構成によれば、排気管から排出される排気が、作業台に対して上方に膨出している上側排気管カバーの下側を通って作業台の上方へ抜け出るので、排気が作業台の下側に滞留することを防止できる。後端部が排気口の後端部よりも後方に延びている上側排気管カバーによって、雨水等が排気口を通して排気管の内部に侵入することを防止できる。吹き出し方向下手側の空間が開放されているので、吹き出された排気は、邪魔されるものがないので大気への放散が行われ易い。
【００１６】
本発明においては、前記脱穀装置における前記穀粒タンク側の側壁に上下方向に延びる縦向きフレームが備えられ、前記排気管は、前記縦向きフレームから前記穀粒タンク側に突出する状態で前記縦向きフレームに支持されたブラケットに載置支持されていると好適である。
【００１７】
本構成によれば、脱穀装置の側壁に備えられた支持強度の大きい縦向きフレームによって安定的に排気管を支持することができる。
【００１８】
本発明においては、前記穀粒タンクと前記排気管との間に、前記排気管を前記穀粒タンク側から覆う上下向き板状の側部排気管カバーが備えられ、前記排気管を支持する前記ブラケットとは異なる別のブラケットが前記側壁に支持され、前記側部排気管カバーが前記別のブラケットにて支持されていると好適である。
【００１９】
本構成によれば、メンテナンスのために、穀粒タンク側から排気管に作業者が近づいても、側部排気管カバーによって覆われるので、排気管が露出することがなく、作業が行い易いものになる。そして、側部排気管カバーが排気管を支持するブラケットとは異なる別のブラケットにて支持されるので、エンジンの振動に起因して発生する排気管の振動が側部排気管カバーに伝達さることを回避し易い。その結果、側部排気管カバーが微振動により騒音を発生したり、ボルト連結が緩む等の不利を回避できる。
【００２０】
本発明においては、前記排気管は、前記エンジンの排気を導入する導入口を有する第一排気管部と、前記第一排気管部の後部に接続され且つ後端に前記排気口を有する第二排気管部とを備え、前記第一排気管部は、前部側に位置して後上がりの傾斜姿勢で延びる第一傾斜部と、後部側に位置して水平姿勢で延びる第一水平部と、前記第一傾斜部と前記第一水平部とを一連に連なる状態で繋ぐ第一屈曲部とを備え、前記第二排気管部は、前部側に位置して水平姿勢で延びる第二水平部と、後部側に位置して後上がりの傾斜姿勢で延びる第二傾斜部と、前記第二水平部と前記第二傾斜部とを一連に連なる状態で繋ぐ第二屈曲部とを備え、前記第一排気管部及び前記第二排気管部は、二重管部分を有すると好適である。
【００２１】
本構成によれば、エンジンの排気は、第一傾斜部によって後上方に案内されたのち、第一水平部と第二水平部とにより水平方向に案内され、後端側において第二傾斜部により後上方に案内されて外方に排出される。そして、第一排気管部及び第二排気管部は、二重管部分を有するので、高温の排気の熱が二重管部分の断熱作用によって、空間外への放熱を抑制できる。
【００２２】
本発明においては、前記第一排気管部は、前記第一傾斜部が一重管であり、かつ、前記第一屈曲部及び前記第一水平部が二重管であり、前記第二排気管部は、前記第二水平部、前記第二屈曲部及び前記第二傾斜部の全てが二重管であると好適である。
【００２３】
本構成によれば、第一傾斜部は、後上がりの傾斜姿勢で延びるので、例えば、熱の影響を受けやすいワラ屑等の塵埃が上方に飛散しても、堆積することなく流下案内され易い。そこで、ワラ屑等の堆積による不利を回避しながらも、構成の簡素な一重管を用いて低コスト化が図れる。第一傾斜部を除く他の部分は二重管にすることで、高温の排気の熱が外周側に伝わることを回避して、熱による不具合の発生を回避できる。
【００２４】
本発明においては、前記排気管は、前記エンジンの排気を導入する導入口を有する第一排気管部、前記第一排気管部の後部に接続される第二排気管部、前記第二排気管部の後部に接続され、前記排気口を有する第三排気管部を備え、前記第一排気管部と前記第二排気管部との間、及び、前記第二排気管部と前記第三排気管部との間のそれぞれに、前記排気管の外部から内部に空気を流入させる隙間が形成されていると好適である。
【００２５】
本構成によれば、第一排気管部と第二排気管部との間、第二排気管部と第三排気管部との間のそれぞれにおいて、排気管の外部から流入する空気によって排気が冷却されるので、排気がより温度低下した状態でコンバインの外部に排出される。
【００２６】
本発明においては、前記第一排気管部の前部及び後部は、前記脱穀装置に支持されており、前記第二排気管部の前部及び後部は、前記脱穀装置に支持されており、前記第三排気管部は、前記第二排気管部に支持されていると好適である。
【００２７】
本構成によれば、第一排気管部、第二排気管部及び第三排気管部を穀粒タンクに支持させずに済むので、排気管が穀粒タンクに支持されるものに比べ、排気管と穀粒タンクとの連結を行ったり、解除したりする手間を掛けずに楽に穀粒タンクを開閉することができる。
【００２８】
本発明においては、前記空間に立設されるとともに前記脱穀装置の下部と前記穀粒タンクの上部とに連結され、前記脱穀装置によって得られた穀粒を前記穀粒タンクに供給する揚穀装置と、前記脱穀装置における前記穀粒タンク側の側壁の上部から前記揚穀装置の前方を通されて前記穀粒タンク側に延出され、前記揚穀装置の前部を支持する前支持部材と、前記側壁の上部から前記揚穀装置の後方を通されて前記穀粒タンク側に延出され、前記揚穀装置の後部を支持する後支持部材と、前記側壁と前記揚穀装置との間において、前記前支持部材と前記後支持部材とに亘って設けられた隙間埋め部材と、が備えられ、前記第一排気管部の後部は、前記前支持部材に支持され、かつ、前記第二排気管部の前部は、前記後支持部材に支持されていると好適である。
【００２９】
本構成によれば、前支持部材と後支持部材との隙間にワラ屑などが入り込むことを回避しつつ揚穀装置を脱穀装置にしっかり支持させることができる。第一排気管部と脱穀装置とを連結する部材に前支持部材を活用した簡素な支持構造で第一排気管部を脱穀装置に支持できる。第二排気管部と脱穀装置とを連結する部材に後支持部材を活用した簡素な支持構造で第二排気管部を脱穀装置に支持できる。
【００３０】
本発明においては、前記第一排気管部は、後上がりの傾斜姿勢で配管されており、前記第二排気管部は、水平姿勢で配管されており、前記第一排気管部及び前記第三排気管部は、一重管であり、前記第二排気管部は、二重管であると好適である。
【００３１】
本構成によれば、第二排気管部は、空間のうち第二排気管部の放熱が空間外に出やすい高所の部位に位置するが、第二排気管部の内管部の放熱が外管部の断熱作用によって抑制されるので、第二排気管部の空間外への放熱を抑制できる。
【００３２】
本発明においては、前記空間の上部において、前記排気管の上方に位置する状態、かつ、前後方向に延びる状態で設けられた作業台が備えられ、前記作業台は、前記排気口よりも後側まで延ばされており、前記作業台の前記排気管の前記排気口に対応する部位に切欠き部が形成されていると好適である。
【００３３】
本構成によれば、作業台の面積が広くなって作業を行いやすいものでありながら、排気管から排出される排気が切欠き部を通って作業台の上方へ抜け出るので、排気が作業台の下側に滞留することを防止できる。
【００３４】
本発明においては、前記脱穀装置における前記穀粒タンク側の側壁から上方向きに延出され、前記排気管及び前記作業台を支持する支持フレームが備えられていると好適である。
【００３５】
本構成によれば、排気管の脱穀装置への支持と、作業台の脱穀装置への支持とに支持フレームを共用する簡素な支持構造で排気管及び作業台を脱穀装置に支持できる。
【００３６】
本発明においては、前記脱穀装置の脱穀機体は、機体本体と、前記機体本体の上部に支持される天板部と、を備え、前記排気管は、前記空間のうち、前記機体本体と前記穀粒タンクとの間の空間部分を通されており、前記排気口は、前記空間部分で開口していると好適である。
【００３７】
本構成によれば、天板部の点検など、天板部用の作業を行う際、排気管が障害になり難くて行いやすい。
【００３８】
本発明においては、前記穀粒タンクの後部に接続されると共に機体上下方向に沿う方向に延ばされ、前記穀粒タンクから穀粒を排出する穀粒排出装置と、前記穀粒排出装置と隣り合う位置に立設され、前記穀粒排出装置を支持する支柱と、前記脱穀装置における前記穀粒タンク側の側壁と前記支柱とを繋ぐ横向きフレームと、が備えられ、前記排気口は、前記横向きフレームよりも前側に位置していると好適である。
【００３９】
本構成によれば、排気管から排出される排気が排気口を出てから放熱しつつコンバインの外部に出るまで流れる距離が長くなるので、排気がコンバインの外部により温度低下した状態で排出される。
【００４０】
本発明においては、前記穀粒タンクと前記排気管との間に、前記穀粒タンクの前端部に対応する位置と前記穀粒タンクの後端部に対応する位置とに亘って設けられ、前記排気管を前記穀粒タンク側から覆う側部排気管カバーが備えられ、前記側部排気管カバーは、前記排気口よりも後側まで延ばされていると好適である。
【００４１】
本構成によれば、排気管に対して脱穀装置側と反対側に位置する部位において点検などの作業を行う際、排気管が側部排気管カバーによって覆われて作業側に露出しないので、かつ、排気管から排出される排気の作業側への流動が側部排気管カバーによって防止されるので作業を行いやすい。
【００４２】
本発明においては、前記空間の上部において、前記排気管の上方に位置する状態、かつ、前後方向に延びる状態で設けられた作業台と、前記空間に立設されるとともに前記脱穀装置の下部と前記穀粒タンクの上部とに連結され、前記脱穀装置によって得られた穀粒を前記穀粒タンクに供給する揚穀装置と、前記脱穀装置における前記穀粒タンク側の側壁の上部から前記揚穀装置の前方を通されて前記穀粒タンク側に延出され、前記揚穀装置の前部を支持する前支持部材と、前記側壁の上部から前記揚穀装置の後方を通されて前記穀粒タンク側に延出され、前記揚穀装置の後部を支持する後支持部材と、が備えられ、前記側壁と前記揚穀装置との間において、前記前支持部材と前記後支持部材とに亘って設けられた隙間埋め部材と、が備えられ、前記作業台は、前記前支持部材から前方に延びる前作業台部と、前記後支持部材から後方に延びる後作業台部と、を備えていると好適である。
【００４３】
本構成によれば、揚穀装置を前支持部材及び後支持部材を介して脱穀装置にしっかり支持させつつ、前支持部材と後支持部材との隙間にワラ屑などが入り込むことを隙間埋め部材によって防止できる。作業台において、前作業台部と後作業台部との間に作業台隙間ができるが、作業台隙間が隙間埋め部材によって塞がれる状態になるので、作業を行いやすい。
【００４４】
本発明においては、前記前作業台部の後部が前記前支持部材に支持され、前記後作業台部の前部が前記後支持部材に支持されていると好適である。
【００４５】
本構成によれば、揚穀装置を支持する前支持部材を前作業台部の支持部材に活用し、かつ、揚穀装置を支持する後支持部材を後作業台部の支持部材に活用した簡素な支持構造で作業台を支持できる。また、作業台を脱穀装置に簡素な支持構造で支持させることができる。
【図面の簡単な説明】
【００４６】
【図１】コンバインの全体を示す右側面図である。
【図２】コンバインの全体を示す平面図である。
【図３】コンバインの後面図である。
【図４】排気管、排気管カバー及び作業台を示す左側面図である。
【図５】排気管、排気管カバー及び作業台を示す右側面図である。
【図６】排気管、排気管カバー及び作業台を示す分解斜視図である。
【図７】図４のＶＩＩ−ＶＩＩ断面矢視図である。
【図８】図４のＶＩＩＩ−ＶＩＩＩ断面矢視図である。
【図９】隙間埋め部材の設置部を示す平面図である。
【図１０】第二実施形態のコンバインの全体を示す右側面図である。
【図１１】第二実施形態のコンバインの全体を示す平面図である。
【図１２】排気管及び作業台を示す右側面図である。
【図１３】排気管及び作業台を示す縦断右側面図である。
【図１４】排気管の支持構造を示す分解斜視図である。
【図１５】排気管カバー及び作業台の支持構造を示す分解斜視図である。
【図１６】排気管の縦断背面図である。
【図１７】排気管の縦断正面図である。
【図１８】第二排気管部の平面図である。
【発明を実施するための形態】
【００４７】
〔第一実施形態〕
以下、本発明の一例であるコンバインの第一実施形態を図面に基づいて説明する。
なお、以下の説明では、普通型のコンバインの機体に関し、図１、図２に示される矢印Ｆの方向を「機体前方」、矢印Ｂの方向を「機体後方」、図１，３に示される矢印Ｕの方向を「機体上方」、矢印Ｄの方向を「機体下方」、図２，３に示される矢印Ｌの方向を「機体左方」、矢印Ｒの方向を「機体右方」とする。
【００４８】
〔普通型のコンバインの全体の構成について〕
図１、図２に示されるように、普通型のコンバインの機体には、バー状のフレーム部材などを組み合わせて構成された枠状の機体フレーム１と、機体フレーム１の下部に装着された左右一対のクローラ式の走行装置２とが備えられている。機体の横一側部に運転部３が設けられている。運転部３の搭乗空間は、キャビン４によって覆われている。運転部３の下部にエンジン５を有するエンジンルーム６が設けられている。機体の前部に、圃場の作物としての稲、麦などの植立穀稈を刈り取る刈取部７が昇降可能に設けられている。機体フレーム１の後部に脱穀装置８及び穀粒タンク９が設けられている。脱穀装置８と穀粒タンク９とは、機体の横幅方向に横並び状態で設けられている。刈取部７と脱穀装置８とに亘ってフィーダ１０が設けられている。刈取部７によって刈り取られた穀稈の株元から穂先までの全体がフィーダ１０によって脱穀装置８に供給され、脱穀装置８において脱穀処理される。脱穀装置８と穀粒タンク９との間に揚穀装置１１が立設されている。揚穀装置１１は、脱穀装置８の下部に形成された穀粒排出部と、穀粒タンク９の上部に形成された穀粒供給部とに連結されている。脱穀装置８によって得られた穀粒が揚穀装置１１によって穀粒タンク９に供給され、穀粒タンク９において貯留される。穀粒タンク９の後部に形成された穀粒排出部に第一の穀粒排出装置１２Ａが接続され、第一の穀粒排出装置１２Ａの上端部分から第二の穀粒排出装置１２Ｂが延出されている。第一の穀粒排出装置１２Ａは、穀粒タンク９の穀粒排出部から機体上下方向に沿う方向に延ばされている。第二の穀粒排出装置１２Ｂは、第一の穀粒排出装置１２Ａの上端部分から横向きに延ばされている。第一の穀粒排出装置１２Ａ及び第二の穀粒排出装置１２Ｂによって穀粒タンク９から穀粒を取り出すことができる。
【００４９】
図１，２に示すように、エンジン５は、穀粒タンク９よりも前側に設けられている。エンジンルーム６のうち、エンジン５の上方に位置する箇所に、エンジン５の排気を浄化処理する排気浄化装置１３が設けられている。排気浄化装置１３においては、エンジン５の排気が導入され、導入された排気に含まれるディーゼル微粒子が捕集フィルター（図示せず）によって捕集されて、ディーゼル微粒子を減少させる排気の浄化処理が行われる。浄化処理後の排気が吐出筒１４から排出される。
【００５０】
〔排気管の構成について〕
図１，２に示されるように、排気浄化装置１３の吐出筒１４に排気管１５が接続されている。排気管１５は、図１，２，３に示されるように、後上がりの状態で、脱穀装置８と穀粒タンク９との間の空間１６を後方に向かって通されている。排気管１５の排気口２５は、空間１６のうち穀粒タンク９の後端部に対応する位置で開口している。
【００５１】
脱穀装置８の脱穀機体は、扱室の下側部分を形成する機体本体８Ａ、及び、機体本体８Ａの上部に支持されて、扱室の上側部分を形成する天板部８Ｂを備えている。本実施形態では、排気管１５は、図４，５，７，８に示されるように、空間１６のうち、機体本体８Ａと穀粒タンク９との間の空間部分１６ａを通されている。排気口２５は、空間部分１６ａで開口している。
【００５２】
具体的には、排気管１５は、図４，６に示されるように、第一排気管部１７と、第二排気管部１８と、第三排気管部１９と、を備えている。
【００５３】
第一排気管部１７は、図４，５に示されるように、前端側部分が後上がりの傾斜姿勢となり、後端側部分が水平姿勢となる状態で、エンジンルーム６の横外側の箇所と空間部分１６ａとにわたって配管されている。第一排気管部１７は、前部及び後部で脱穀装置８に支持されている。
【００５４】
具体的には、図４，７に示されるように、第一排気管部１７は、第一排気管部１７の前部に形成された前連結部１７ｆを備えている。前連結部１７ｆと、脱穀装置８の穀粒タンク側の側壁８ｃに支持されているブラケット２０とが連結ボルトによって連結されている。
【００５５】
第一排気管部１７は、図６に示されるように、第一排気管部１７の後部に形成された後連結部１７ｒを備えている。図４，７，９に示されるように、後連結部１７ｒと、揚穀装置１１の前側に位置する前支持部材２１とが連結ボルトによって連結されている。前支持部材２１は、図７，９に示されるように、脱穀装置８の穀粒タンク側の側壁８ｃの上部に備えられたフレーム部８ｄから揚穀装置１１の前方を通されて穀粒タンク側に延ばされ、延出端側部分で揚穀装置１１の前部を支持している。第一排気管部１７の後部の脱穀装置８への支持は、揚穀装置１１を脱穀装置８に支持させる前支持部材２１を第一排気管部１７と脱穀装置８の側壁８ｃとの連結部材に活用して行われている。
【００５６】
第一排気管部１７は、図４，５，６に示されるように、第一排気管部１７の前部に排気の導入口として形成された導入筒部２２を備え、導入筒部２２で吐出筒１４に接続されている。導入筒部２２と吐出筒１４との接続は、図４に示されるように、導入筒部２２が吐出筒１４に外嵌し、かつ、導入筒部２２の内周部と吐出筒１４の外周部との間に隙間Ｓ１が形成される状態で行われている。排気が吐出筒１４から導入筒部２２に吐出されて第一排気管部１７に流入する。吐出筒１４から導入筒部２２に吐出された排気の流れによるエジェクター効果によって排気管１５の外部の空気が隙間Ｓ１を通して第一排気管部１７の内部に引き込まれ、引き込まれた空気が第一排気管部１７の内部を流れる排気に混入して排気が空気によって冷却される。すなわち、吐出筒１４と第一排気管部１７との間に、エジェクター効果を利用した第一冷却部Ｃ１が構成されている。
【００５７】
第二排気管部１８は、水平またはほぼ水平の姿勢で空間部分１６ａに配管される。発明の構成の水平姿勢は、ほぼ水平の姿勢を含む。第二排気管部１８は、機体の前後方向に沿った直管状で配管されている。第二排気管部１８においては、排気が第二排気管部１８によって受ける流動抵抗が少ない状態で流れる。第二排気管部１８は、図４に示されるように、内管部１８ａと、内管部１８ａに外嵌する外管部１８ｂとによる二重管に構成されている。内管部１８ａが排気による加熱によって備える熱の周囲への伝わりが外管部１８ｂの遮熱作用によって抑制される。内管部１８ａと外管部１８ｂとの間には、遮熱効果を高める隙間が形成されている。
【００５８】
第二排気管部１８は、前部及び後部で脱穀装置８に支持されている。具体的には、第二排気管部１８は、図６に示されるように、第二排気管部１８の前部に形成された前連結部１８ｆを備えている。図４，９に示されるように、前連結部１８ｆと、揚穀装置１１の後側に位置する後支持部材２３とが連結ボルトによって連結されている。後支持部材２３は、図４，９に示されるように、脱穀装置８の穀粒タンク側の側壁８ｃの上部に備えられたフレーム部８ｄから揚穀装置１１の後方を通されて穀粒タンク側に延ばされ、延出端側部分で揚穀装置１１の後部を支持している。第二排気管部１８の前部の脱穀装置８への支持は、揚穀装置１１を脱穀装置８に支持させる後支持部材２３を第二排気管部１８と脱穀装置８の側壁８ｃとの連結部材に活用して行われている。
【００５９】
第二排気管部１８は、図６に示されるように、第二排気管部１８の後部に形成された後連結部１８ｒを備えている。図４，８に示されるように、後連結部１８ｒと、支持フレーム２４の上部に設けられた第一支持部２４ａとが連結ボルトによって連結されている。支持フレーム２４は、脱穀装置８における穀粒タンク側の側壁８ｃから上方向きに延出されている。第二排気管部１８の後部は、支持フレーム２４を介して脱穀装置８に支持されている。
【００６０】
第二排気管部１８は、図４に示されるように、前部に形成された接続筒部１８ｃを有し、接続筒部１８ｃで第一排気管部１７の後部に接続されている。接続筒部１８ｃと第一排気管部１７の後部との接続は、図４に示されるように、接続筒部１８ｃが第一排気管部１７の後部に外嵌し、かつ、接続筒部１８ｃの内周部と第一排気管部１７の外周部との間に隙間Ｓ２が形成される状態で行われている。排気が第一排気管部１７から接続筒部１８ｃに吐出されて第二排気管部１８に流入する。第一排気管部１７から接続筒部１８ｃに吐出された排気の流れによるエジェクター効果によって排気管１５の外部の空気が隙間Ｓ２を通して第二排気管部１８の内部に引き込まれ、引き込まれた空気が第二排気管部１８の内部を流れる排気に混入して排気が空気によって冷却される。すなわち、第一排気管部１７と第二排気管部１８との間にエジェクター効果を利用した第二冷却部Ｃ２が構成されている。
【００６１】
第三排気管部１９は、空間部分１６ｂに前後向きで配管されている。第三排気管部１９の後部に、排気管１５の排気口である排気口２５が形成されている。排気口２５は、図２，４，５，６に示されるように、空間部分１６ａのうち、穀粒タンク９の後端部に対応する部位に位置し、この位置で後方向きに開口している。排気口２５は、図２，４に示されるように、穀粒タンク９よりも後側に設けられた横向きフレーム２６よりも前側に位置している。横向きフレーム２６は、図３，４，５，６に示されるように、機体の横幅方向に沿う状態で設けられ、脱穀装置８の穀粒タンク側の側壁８ｃと、穀粒タンク９の後側に位置する支柱２８とを繋いでいる。支柱２８は、第一の穀粒排出装置１２Ａと隣り合った位置で機体フレーム１に立設され、第一の穀粒排出装置１２Ａの搬送筒を回転可能に抱持する抱持部材２９を介して第一の穀粒排出装置１２Ａを支持している。排気口２５は、脱穀装置８より後側に突出せず、脱穀装置８から後方に排出されるワラ屑が排気管１５の後部に引っ掛かりにくい。
【００６２】
図３，４，５に示されるように、機体フレーム１の後部にエンジン用の燃料タンク２７が設けられている。排気口２５は、燃料タンク２７のうち、給油筒２７ａを有する後部よりも前側に位置している。図３，４，５，６に示されるように、横向きフレーム２６の脱穀装置側の基部にカバー３６が支持されている。カバー３６は、排気口２５から後方に離れた箇所に位置し、かつ、機体後面視で、排気口２５の下部と重なっている。燃料タンク２７に給油を行う際、作業者の頭部や手がカバー３６などによって排気管１５に触れないで行える。
【００６３】
第三排気管部１９は、第二排気管部１８に支持されている。具体的には、第三排気管部１９は、図４，６に示されるように、第三排気管部１９の前部における周方向での複数個所から前方向きに延出された連結部１９ａを備えている。複数の連結部１９ａのそれぞれが第二排気管部１８の後端部の外周部に連結ボルトによって連結されている。第三排気管部１９は、第二排気管部１８などを介して脱穀装置８に支持されている。
【００６４】
第三排気管部１９は、図４に示されるように、第三排気管部１９の前部に形成された接続筒部１９ｂを有し、接続筒部１９ｂで第二排気管部１８の後部に接続されている。接続筒部１９ｂと第二排気管部１８の後部との接続は、図４に示されるように、接続筒部１９ｂが第二排気管部１８の後部に外嵌し、かつ、接続筒部１９ｂの内周部と、第二排気管部１８の後部の外周部との間に隙間Ｓ３が形成される状態で行われている。排気が第二排気管部１８から接続筒部１９ｂに吐出されて第三排気管部１９に流入する。第二排気管部１８から接続筒部１９ｂに吐出された排気の流れによるエジェクター効果によって排気管１５の外部の空気が隙間Ｓ３を通して第三排気管部１９の内部に引き込まれ、引き込まれた空気が第三排気管部１９の内部を流れる排気に混入して排気が空気によって冷却される。
すなわち、第二排気管部１８と第三排気管部１９との間にエジェクター効果を利用した第三冷却部Ｃ３が構成されている。
【００６５】
エンジン５から排出される排気が排気浄化装置１３によって浄化処理された後、排気浄化装置１３の吐出筒１４から排気管１５の導入口としての第一排気管部１７の導入筒部２２に導入される。排気管１５に導入された排気は、第一冷却部Ｃ１、第二冷却部Ｃ２及び第三冷却部Ｃ３のそれぞれにおいて排気管１５の外部から導入された空気によって冷却されつつ空間部分１６ａのうちの穀粒タンク９の後端部に対応する部位に案内され、この部位に位置する排気管１５の排気口としての第三排気管部１９の排気口２５から排出される。排気口２５から排出された排気は、ガイド部材３４によって上方向きに流動するように案内される。排気口２５から排出された排気は、直ちにコンバインの外部に出ないで、穀粒タンク９や脱穀装置８の後端部付近を通って冷却作用を受けてからコンバインの外部に出る。
【００６６】
〔排気管カバー３０の構成について〕
図４，５，７，８に示されるように、穀粒タンク９と排気管１５との間に、排気管１５を穀粒タンク側から覆う排気管カバー３０が設けられている。排気管カバー３０は、穀粒タンク９の前端部に対応する位置と、穀粒タンク９の後端部に対応する位置とにわたって設けられている。排気管カバー３０は、排気管１５の排気口２５よりも後側まで延ばされている。排気口２５から吐出される排気の穀粒タンク側への流動が排気管カバー３０によって防止される。
【００６７】
排気管カバー３０は、機体フレーム１と脱穀装置８とに支持されている。具体的には、排気管カバー３０は、図４，５，６に示されるように、支持フレーム２４から前方に延びる前カバー部３０Ｆと、支持フレーム２４から後方に延びる後カバー部３０Ｒとを備えている。前カバー部３０Ｆの前部は、前支柱３１の第一支持部３１ａに支持されている。前支柱３１は、穀粒タンク９の前部と脱穀装置８の前部との間で機体フレーム１に立設されている。前カバー部３０Ｆの後部が支持フレーム２４の第二支持部２４ｂに支持されている。後カバー部３０Ｒの前部が支持フレーム２４の第三支持部２４ｃに支持されている。後カバー部３０Ｒの後部が横向きフレーム２６の第一支持部２６ａに支持されている。
【００６８】
第二排気管部１８を脱穀装置８に支持する支持フレーム２４、及び、支柱２８を補強する横向きフレーム２６が排気管カバー３０を支持する部材に活用されている。排気管カバー３０は、穀粒タンク９に支持されていない。穀粒タンク９が第一の穀粒排出装置１２Ａのスクリュー軸芯Ｘを揺動中心にして揺動され、図２に実線で示される通常用の閉じ姿勢から二点鎖線で示されるメンテナンス用の開き姿勢に姿勢変更され、排気管１５に対して脱穀装置側と反対側に解放スペースが形成されても、排気管１５は、排気管カバー３０によって覆われたままになって解放スペースに向けて露出しない。
【００６９】
〔作業台３２の構成について〕
図２に示されるように、脱穀装置８と穀粒タンク９との間の空間１６の上部に作業台３２が設けられている。作業台３２は、排気管１５の上方に位置する状態で、かつ、前後方向に延びる状態で設けられている。作業台３２は、脱穀装置８の前端部に対応する位置と、穀粒タンク９の後端部に対応する位置とに亘って設けられている。
【００７０】
作業台３２は、図２，４に示されるように、排気管１５の排気口２５よりも後側まで延ばされている。図２に示されるように、作業台３２の排気口２５に対応する部位に切欠き部３２ｃ（図６参照）が形成されている。作業台３２の面積を広くしつつ作業台３２の下側に排気が滞留することを防止するために、排気管１５から排出される排気が切欠き部３２ｃを通って作業台３２の上側に抜けるようにしてある。
【００７１】
作業台３２は、図４，６に示されるように、前支持部材２１から前方に延びる前作業台部３２Ｆ、後支持部材２３から後方に延びる後作業台部３２Ｒを備えている。図９に示されるように、脱穀装置８の側壁８ｃにおけるフレーム部８ｄと揚穀装置１１との間において、前支持部材２１と後支持部材２３とに亘って隙間埋め部材３５が設けられている。前支持部材２１と後支持部材２３との間にできる支持部材隙間Ｈにワラ屑などが入り込まないように、支持部材隙間Ｈが隙間埋め部材３５によって埋められている。支持部材隙間Ｈの隙間埋め部材３５による埋めは、支持部材隙間Ｈの側壁８ｃ側の端までと支持部材隙間Ｈの揚穀装置１１側の端までとに亘って行われている。作業台３２において前作業台部３２Ｆと後作業台部３２Ｒとの間に作業台隙間ができるが、平面視において、作業台隙間が隙間埋め部材３５によって塞がれる。
【００７２】
前作業台部３２Ｆの脱穀装置側の横側部は、脱穀装置８の側壁８ｃにおけるフレーム部８ｄに支持されている。前作業台部３２Ｆの穀粒タンク側の横側部は、図４に示されるように、前支柱３１に設けられた第二支持部３１ｂに支持されている。前作業台部３２Ｆの後部は、図９に示されるように、前支持部材２１に設けられた支持部２１ａに支持されている。
【００７３】
後作業台部３２Ｒの前部は、図９に示されるように、後支持部材２３に設けられた支持部２３ａに支持されている。後作業台部３２Ｒの後部は、横向きフレーム２６に設けられた第二支持部２６ｂ（図６参照）に支持されている。後作業台部３２Ｒの前後方向での中間部は、図８に示されるように、支持フレーム２４の上部に設けられた第三支持部２４ｃに支持されている。後作業台部３２Ｒの脱穀装置側の横側部は、側壁８ｃのフレーム部８ｄに支持されている。後作業台部３２Ｒの穀粒タンク側の横側部は、図４に示されるように、排気管カバー３０の上端部に連結部材３３を介して連結されている。
【００７４】
揚穀装置１１を脱穀装置８に支持させる前支持部材２１及び後支持部材２３、第二排気管部１８を脱穀装置８に支持させる支持フレーム２４、支柱２８を補強する横向きフレーム２６のそれぞれが作業台３２を支持する部材に活用されている。作業台３２は、穀粒タンク９に支持されておらず、穀粒タンク９の開き姿勢への姿勢変更を可能にしている。
【００７５】
〔第二実施形態〕
次に、本発明の第二の実施形態を説明する。
この実施形態では、コンバインの機体の一部の構成、排気管１５及び排気管カバーの構成等が第一実施形態と異なるが、その他の構成は第一実施形態と同じである。そこで、第一実施形態と同じ構成については説明を省略し、異なる構成についてのみ説明する。
【００７６】
図１０，１１に示すように、本実施形態のコンバインの機体は、運転部３の搭乗空間がキャビン４に代えてキャノピー１００によって覆われている。機体のその他の構成については、同一の部材には同一の符号を付すが、具体的な説明は省略する。
【００７７】
〔排気管の構成〕
排気管１５の構成について説明する。図１１に示すように、排気管１５は、後上がりの状態で、脱穀装置８と穀粒タンク９との間の空間１６を後方に向かって通されており、排気管１５の排気口２５は、空間１６のうち穀粒タンク９の後端部に対応する位置で開口している点は、第一実施形態と同じである。
【００７８】
この実施形態では、排気管１５が２分割される構成となっている。すなわち、図１２，１３に示すように、排気管１５は、エンジン５の排気を導入する導入口を有する第一排気管部１０１と、第一排気管部１０１の後部に接続され、かつ、後端に排気口２５を有する第二排気管部１０２とを備えている。
【００７９】
第一排気管部１０１について説明する。
第一排気管部１０１は、前部側に位置して後上がりの傾斜姿勢で延びる第一傾斜部１０３と、後部側に位置して水平姿勢で延びる第一水平部１０５と、第一傾斜部１０３と第一水平部１０５とを一連に連なる状態で繋ぐ第一屈曲部１０４とを備えている。第一傾斜部１０３の前部に形成された導入筒部２２と排気浄化装置１３の吐出筒１４とが、空気導入用の隙間Ｓ１を形成する状態で接続されている。
【００８０】
図１３に示すように、第一傾斜部１０３は一重管に構成されている。第一屈曲部１０４及び第一水平部１０５は、二重管に構成されている。すなわち、第一実施形態の第二排気管部１８と同様に、内管部の外周側に間隔（隙間）を隔てて外管部を有する構成であり、内管部と外管部とは、前後両端部において溶接にて一体的に連結されている。
【００８１】
第一排気管部１０１は、第一傾斜部１０３の前後途中部において脱穀装置８の側壁８ｃに支持されている。図１２，１４に示すように、脱穀装置８における穀粒タンク側の側壁８ｃに、前後方向に間隔をあけて複数（４つ）の上下方向に延びる補強用の縦向きフレーム１０６が備えられている。図１４，１６に示すように、４つの縦向きフレーム１０６のうちの前から２番目の縦向きフレーム１０６ｂから穀粒タンク側に向けて突出する状態で断面Ｕ字形の支持部材１０７が固定されている。支持部材１０７に側面視Ｌ字形のブラケット１０８がボルト連結されている。第一傾斜部１０３の前後途中部に溶接固定された正面視略Ｕ字形の連結部材１０９がブラケット１０８の上面にボルト連結されている。
【００８２】
第一排気管部１０１は、第一屈曲部１０４よりも少し後側箇所において、揚穀装置１１の前側に位置する前支持部材２１に支持されている。図１４に示すように、前支持部材２１に左右方向に延びる断面Ｌ字形の受止め部材１１０が固定されている。第一屈曲部１０４よりも少し後側箇所に溶接固定された正面視略Ｕ字形の連結部材１１１が、受止め部材１１０の下面側から当て付けた状態でボルト連結されている。
このように第一排気管部１０１は、前後２箇所において安定的に脱穀装置８の側壁８ｃに支持されている。
【００８３】
第二排気管部１０２について説明する。
図１２，１３，１４に示すように、第二排気管部１０２は、前部側に位置して水平姿勢で延びる第二水平部１１２と、後部側に位置して後上がりの傾斜姿勢で延びる第二傾斜部１１４と、第二水平部１１２と第二傾斜部１１４とを一連に連なる状態で繋ぐ第二屈曲部１１３とを備えている。第二排気管部１０２は、前後方向の全域にわたって、すなわち、第二水平部１１２、第二屈曲部１１３、及び、第二傾斜部１１４の全てが、二重管に構成されている（図１３参照）。すなわち、第一実施形態の第二排気管部１８と同様に、内管部の外周側に間隔（隙間）を隔てて外管部を有する構成であり、内管部と外管部とは、前後両端部において溶接にて一体的に連結されている。
【００８４】
第二水平部１１２と第二傾斜部１１４とはそれぞれ、直管にて構成され、直管の端部を斜めに切断して、両者を溶接にて連結して第二屈曲部１１３を形成する状態で一連に連なる管路に構成されている。第二傾斜部１１４は、側面視において、後部側ほど上方に位置するように後上がりの傾斜姿勢で延びている。又、図１８に示すように、第二傾斜部１１４は、平面視において、後部側ほど脱穀装置８から離れる側すなわち穀粒タンク側（右方向）に傾斜する状態で延びている。
【００８５】
第二排気管部１０２の排気口２５は、直管にて構成される第二傾斜部１１４の後端が軸芯方向に対して略直交する切断面にて切断されて、軸芯方向視で略円形に開口する形状となっている。その結果、排気口２５は水平方向よりも上向きに向くように開口する構成となっている。又、排気口２５の吹き出し方向下手側の空間が、吹き出し方向に沿って開放された状態となっている。
【００８６】
脱穀装置８における穀粒タンク側の側壁８ｃに備えられる４つの縦向きフレーム１０６ａ〜１０６ｄのうちの前から３番目の縦向きフレーム１０６ｃと、前から４番目（最も後側）の縦向きフレーム１０６ｄとのそれぞれに、穀粒タンク側に向けて突出する状態でブラケット１１５，１１６が取り付けられている。前後のブラケット１１５，１１６は同じ構成であり、縦向き面部１１５ａ，１１６ａと水平面部１１５ｂ，１１６ｂとを有する正面視でＬ字状に成形された板体からなり、縦向き面部１１５ａ，１１６ａと水平面部１１５ｂ，１１６ｂとの間には、正面視で略三角形状の補強リブ１１５ｃ，１１６ｃが設けられている。
【００８７】
図１７に示すように、第二水平部１１２の前部側箇所が前部側のブラケット１１５により載置支持されている。前部側のブラケット１１５は、縦向き面部１１５ａが前から３番目の縦向きフレーム１０６ｃの右側面にボルト連結されている。第二水平部１１２の前部側箇所に溶接固定された正面視略Ｕ字形の連結部材１１７が、前部側のブラケット１１５の水平面部１１５ｂに上から載置支持された状態でボルトで連結されている。
【００８８】
第二傾斜部１１４の前部側箇所が後部側のブラケット１１６により載置支持されている。図１２，１４に示すように、後部側のブラケット１１６は、縦向き面部１１６ａが前から４番目の縦向きフレーム１０６ｄの右側面にボルト連結されている。第二水平部１１２の前部側箇所に溶接固定された側面視で略Ｌ字形の連結部材１１８が、後部側のブラケット１１６の水平面部１１６ｂに上から載置支持された状態でボルトで連結されている。
【００８９】
〔側部排気管カバーについて〕
図１２，１３，１５，１７に示すように、穀粒タンク９と排気管１５との間には、第一実施形態における排気管カバー３０と同様な構成の、排気管１５を穀粒タンク９側から覆う上下向き板状の側部排気管カバー１１９が備えられている。側部排気管カバー１１９は、前カバー部１１９Ｆと後カバー部１１９Ｒとに前後に分割される構成となっている。
【００９０】
第一実施形態では、排気管カバー３０がブラケット（第二支持部２４ｂ）を介して支持フレーム２４に支持され、かつ、第二排気管部１８の後部側箇所がブラケット（第一支持部２４ａ）を介して支持フレーム２４に支持される構成となっている。
【００９１】
これに対して、本実施形態では、前カバー部１１９Ｆの後部、及び、後カバー部１１９Ｒの前部のそれぞれが、ブラケット（第二支持部２４ｂ）を介して支持フレーム２４に支持される点は、第一実施形態と同じであるが、本実施形態の第二排気管部１０２は、上述したように、縦向きフレーム１０６ｃから延設されたブラケット１１５により載置支持されている。すなわち、図１７に示すように、排気管１５を支持するブラケット１１５とは異なる別のブラケット（第二支持部２４ｂ）が側壁８ｃに支持され、側部排気管カバー１１９が別のブラケット（第二支持部２４ｂ）にて支持されている。このように構成することで、振動や騒音等の発生を抑制するようにしている。又、後カバー部１１９Ｒは、片持ち状に延びる後部側が後側ほど幅狭になるように形成され、このことによっても、振動を抑制するようにしている。
【００９２】
〔上側排気管カバーについて〕
排気管１５の後部に開口される排気口２５の上方を覆う上側排気管カバー１２０が備えられている。
上側排気管カバー１２０は、作業台３２のうちの後作業台部３２Ｒと連結されている。すなわち、図１３，１５，１７に示すように、上側排気管カバー１２０は、板材を略Ｕ字形に屈曲形成して構成され、左右両側の縦向き部１２０Ａと、左右の縦向き部１２０Ａの上部同士を連結する上側覆い部１２０Ｂとを備えている。そして、後作業台部３２Ｒの後端部に形成された矩形状の切欠き部１２１を通して、上側排気管カバー１２０が上方に突出する状態で、かつ、左右の縦向き部１２０Ａが切欠き部１２１の左右内縁に沿わせた状態で備えられ、左右の縦向き部１２０Ａが切欠き部１２１の左右内縁に溶接にて連結されている。その結果、上側排気管カバー１２０は、後端部が後作業台部３２Ｒよりも上側に突出するとともに、後作業台部３２Ｒに対して上方に膨出する形状にて構成されている。
【００９３】
上側排気管カバー１２０における上側覆い部１２０Ｂが、側面視で、第二排気管部１０２の第二傾斜部１１４における後上がり傾斜姿勢に対して、それと略平行に沿うように後上がり傾斜姿勢に設けられている。つまり、上側排気管カバー１２０は排気管１５の後端部の傾斜方向に沿う傾斜状態で配置されている。その結果、排気口２５から排気が吹き出される吹き出し方向下手側の空間には、後作業台部３２Ｒや上側排気管カバー１２０等が存在せず、吹き出し方向に沿って開放された状態となっている。
【００９４】
上側排気管カバー１２０の後端部が排気口２５の後端部よりも後方に延ばされている。図１３に示すように、上側排気管カバー１２０における上側覆い部１２０Ｂが排気口２５の後端部よりも後方に向けて突出する状態で設けられ、左右両側の縦向き部１２０Ａも上側覆い部１２０Ｂの端縁から連なる状態で上下に延ばされており、排気口２５の上方側の領域のうち、吹き出し方向下手側の空間を除く領域、並びに、左右両側方の領域を覆うように設けられている。このように構成することで、上向きに開口している排気口２５から雨水等が侵入することを防止している。
【００９５】
〔別実施形態〕
（１）上記した各実施形態では、排気管１５は、空間１６のうちの空間部分１６ａを通る構成を採用されているが、これに限らず、空間１６のうち、空間部分１６ａよりも上側の空間部分を通る構成を採用してもよい。
【００９６】
（２）上記した第一の実施形態では、第一排気管部１７と第二排気管部１８との間、第二排気管部１８と第三排気管部１９との間のそれぞれに隙間Ｓ２，Ｓ３が形成される排気管１５が採用された例を示したが、これに限らず、隙間が形成されない一連の排気管を備えるものであってもよい。
【００９７】
（３）上記した各実施形態では、排気管１５が穀粒タンク９に支持されない例を示したが、開閉が不能な穀粒タンク９を採用するものであれば、穀粒タンク９に支持されるものであってもよい。
【００９８】
（４）上記した第一の実施形態では、第二排気管部１８が二重管である構成を採用した例を示し、第二の実施形態では第一排気管部１０１及び第二排気管部１０２が二重管部分を有する構成を採用した例を示したが、これに限らず、排気管が一重管である構成を採用したものであってもよい。
【００９９】
（５）上記した各実施形態では、作業台３２が設けられた例を示したが、作業台３２が設けられていないものであってもよい。また、作業台３２を設ける場合、前作業台部３２Ｆと後作業台部３２Ｒとに分離したものに限らず、前端から後端まで一連の作業台を採用してもよい。
【０１００】
（６）上記した各実施形態では、横向きフレーム２６が備えられた例を示したが、横向きフレーム２６を備えないものであってもよい。
【０１０１】
（７）上記した各実施形態では、排気浄化装置１３が備えられた例を示したが、排気浄化装置１３を備えないものであってもよい。
【０１０２】
（８）上記した第二実施形態では、上側排気管カバー１２０が作業台３２（後作業台部３２Ｒ）と連結される例を示したが、上側排気管カバー１２０が作業台３２とは別の支持部材によって支持するようにしたものでもよい。
【０１０３】
（９）上記した第二実施形態では、上側排気管カバー１２０は、後端部が作業台３２よりも上側に突出するとともに、作業台３２に対して上方に膨出する形状にて構成された例を示したが、上側排気管カバー１２０が、作業台３２と同じ上下位置に設けられるものでもよい。
【０１０４】
（１０）上記した第二実施形態では、排気管１５の後端部、すなわち、第二排気管部１０２の第二傾斜部１１４が後上方向きに傾斜する状態で設けられる例を示したが、この構成にかえて次にように構成するものでもよい。
例えば、排気管１５の後端部が、水平姿勢で延びる直管にて構成され且つ上方側箇所が上方に向けて開口するように排気口２５が形成される構成、あるいは、排気管１５の後端部が、縦向き姿勢で延びる直管にて構成され、その上端部に上方に向けて開口するように排気口２５が形成される構成等であってもよい。
【産業上の利用可能性】
【０１０５】
本発明は、普通型のコンバインの他、自脱型のコンバインに適用できる。
【符号の説明】
【０１０６】
５        エンジン
７        刈取部
８        脱穀装置
８Ａ      機体本体
８Ｂ      天板部
８ｃ      側壁
９        穀粒タンク
１５      排気管
１６      空間
１６ａ    空間部分
１７      第一排気管部
１８      第二排気管部
１９      第三排気管部
２１      前支持部材
２２      導入口（導入筒部）
２３      後支持部材
２４      支持フレーム
２４ｂ    第二支持部（ブラケット）
２５      排気口
２６      横向きフレーム
２８      支柱
３０      排気管カバー
３２      作業台
３２Ｆ    前作業台部
３２Ｒ    後作業台部
３２ｃ    切欠き部
３５      隙間埋め部材
１０１    第一排気管部
１０２    第二排気管部
１０３    第一傾斜部
１０４    第一屈曲部
１０５    第一水平部
１０６    縦向きフレーム
１１５，１１６  ブラケット
１１２    第二水平部
１１３    第二屈曲部
１１４    第二傾斜部
１１９    側部排気管カバー
１２０    上側排気管カバー
【図１】
2019193623.tif 000003
【図２】
2019193623.tif 000004
【図３】
2019193623.tif 000005
【図４】
2019193623.tif 000006
【図５】
2019193623.tif 000007
【図６】
2019193623.tif 000008
【図７】
2019193623.tif 000009
【図８】
2019193623.tif 000010
【図９】
2019193623.tif 000011
【図１０】
2019193623.tif 000012
【図１１】
2019193623.tif 000013
【図１２】
2019193623.tif 000014
【図１３】
2019193623.tif 000015
【図１４】
2019193623.tif 000016
【図１５】
2019193623.tif 000017
【図１６】
2019193623.tif 000018
【図１７】
2019193623.tif 000019
【図１８】
2019193623.tif 000020